(57)【要約】【課題】すっきりした外観の電気掃除機を提供すること。【解決手段】筐体４内にスイッチ９及びこのスイッチ９とは独立した発光手段としての発光ダイオード１０を設け、前記筐体４から露出するように、前記スイッチ９を操作するためのスイッチ操作手段７を設けた電気掃除機１であって、前記スイッチ操作手段７を、透明な合成樹脂によって構成すると共に、このスイッチ操作手段７の内側に前記発光ダイオード１０を設けたことにより、前記発光ダイオード１０の透光部を兼ねる前記スイッチ操作手段７のみが前記電気掃除機１の筐体４の表面に露出し、前記発光ダイオード１０が前記筐体４の表面に露出しないので、前記電気掃除機１の外観をすっきりさせて美観を向上させることができる。【選択図】図４
0003147038.tif 000002
【実用新案登録請求の範囲】
【請求項１】
筐体内に設けられたスイッチと、このスイッチを操作するためのスイッチ操作手段と、前記スイッチとは独立して設けられた発光手段とを有する電気掃除機において、
前記スイッチ操作手段を、透明又は半透明の材質によって構成すると共に、
前記発光手段を前記スイッチ操作手段の内側に設けたことを特徴とする電気掃除機。
【請求項２】
前記発光手段とスイッチとを共通の回路基板に取り付けたことを特徴とする請求項１記載の電気掃除機。
【考案の詳細な説明】
【技術分野】
【０００１】
本考案は、通電状態を表示する発光手段を有する電気掃除機に関するものである。
【背景技術】
【０００２】
従来、この種の電気掃除機としては、掃除機本体にスイッチ（本考案のスイッチとスイッチ操作手段に相当する）及び発光手段が設けられたものが知られている（例えば、特許文献１参照。）。そして、これらの電気掃除機では、前記発光手段は前記スイッチと並んで掃除機本体の筐体上に露出している。
【特許文献１】特許第３９３３８５５号公報
【考案の開示】
【考案が解決しようとする課題】
【０００３】
しかしながら、このような電気掃除機においては、前述したように、前記発光手段を前記筐体の表面に露出させる必要があるため、前記筐体に貫通孔を形成する必要があった。このため、従来の構造は、前記筐体上に凹凸が生じてしまうことで雑然としており、デザイン上すっきりした構造とは言えなかった。
【０００４】
本考案は以上の問題点を解決し、すっきりした外観の電気掃除機を提供することを目的とする。
【課題を解決するための手段】
【０００５】
本考案の請求項１に記載の電気掃除機は、筐体内に設けられたスイッチと、このスイッチを操作するためのスイッチ操作手段と、前記スイッチとは独立して設けられた発光手段とを有する電気掃除機において、前記スイッチ操作手段を、透明又は半透明の材質によって構成すると共に、前記発光手段を前記スイッチ操作手段の内側に設けたものである。
【０００６】
また、本考案の請求項２に記載の電気掃除機は、請求項１において、前記発光手段とスイッチとを共通の回路基板に取り付けたものである。
【考案の効果】
【０００７】
本考案の請求項１に記載の電気掃除機は、以上のように構成することにより、前記発光手段からの光が透明又は半透明の前記スイッチ操作手段を通して視認される。そして、前記スイッチ操作手段が前記発光手段の透光部を兼ねることになり、前記スイッチ操作手段と発光手段が個別に前記電気掃除機の表面に現れないので、前記電気掃除機の外観をすっきりさせて美観を向上させることができる。
【０００８】
また、前記発光手段とスイッチとを共通の回路基板に取り付けたことにより、前記発光手段の取り付けを容易に行うことができるばかりでなく、前記スイッチ操作手段が動いたとしても前記発光手段が動かないので、前記発光手段の配線の撓みが繰り返されることによる配線の破損が生じないようにすることもできる。
【考案を実施するための最良の形態】
【０００９】
以下、本考案の実施形態について、図１乃至図５に基づいて説明する。１は手持ち型の電気掃除機である。この電気掃除機１は、掃除機本体２と、この掃除機本体２に対して着脱自在に取り付けられるダストケース３とを有して構成されている。
【００１０】
前記掃除機本体２の筐体４には、開口部５及び把持部６が形成されていると共に、前記開口部５には、スイッチ操作手段７が取り付けられている。なお、このスイッチ操作手段７は、透明な合成樹脂によって構成されている。また、前記掃除機本体２内には、図示しない電動送風機及び二次電池が設けられている。また、前記掃除機本体２内には回路基板８が設けられており、この回路基板８上にスイッチ９及び発光素子としての発光ダイオード１０が実装されている。更に、この発光ダイオード１０は、前記スイッチ操作手段７の内側に位置する。
【００１１】
前記スイッチ操作手段７とスイッチ９と発光ダイオード１０について詳述する。前記スイッチ操作手段７は、前記筐体４外に露出する操作部１１と、前記筐体４内に位置するアーム部１２及び摺動部１３とを有して一体に構成されている。なお、前記スイッチ操作手段７は、その摺動部１３が前記筐体４に設けられた案内部１４に案内されることで、図４及び図５の姿勢における上下方向に摺動可能となっている。また、前記スイッチ９は、スイッチ本体１５と、前記アーム部１２によって動かされる可動部１６とを有して構成されている。更に、前記発光ダイオード１０は、前記開口部５内における前記スイッチ操作手段７のポジションに拘わらず、前記操作部１１の内側に位置する。
【００１２】
なお、図１及び図２の姿勢における前記掃除機本体２の筐体４の上部及び下部には、複数の円周部１７，１８と突部１９，２０が形成されている。前記突部１９，２０は、前記円周部１７，１８から接線方向に延びるように形成されていると共に、この接線方向に延びた面が交差する位置に稜線２１，２２が形成されている。即ち、前記円周部１７，１８と突部１９，２０は、それぞれ面が連続するように形成されていると共に、前記突部１９，２０は、稜線２１，２２において面が不連続となるように構成されている。
【００１３】
前記ダストケース３は、先端３Ａ側に吸込口２３が形成されていると共に、基端３Ｂ側に図示しない開口部が形成されている。そして、前記ダストケース３の基端３Ｂ側が、前記掃除機本体２に対してバヨネット式に取り付けられる。なお、バヨネット構造については周知であるので、説明を省略する。更に、前記ダストケース３内には、図示しないフィルタが設けられている。
【００１４】
なお、前記ダストケース３には、複数の円周部２４と突部２５が形成されている。前記突部２５は、前記円周部２４から接線方向に延びるように形成されていると共に、この接線方向に延びた面が交差する位置に稜線２６が形成されている。即ち、前記円周部２４と突部２５は、それぞれ面が連続するように形成されていると共に、前記突部２５は、稜線２６において面が不連続となるように構成されている。更に、前記ダストケース３の基端３Ｂの形状は、前記電気掃除機１を横置きした時に脚となる突部２７を除き、前記筐体４の上端の形状とほぼ一致するように形成されている。
【００１５】
次に、本考案の作用について説明する。まず、前記掃除機本体２に前記ダストケース３を取り付ける。この場合、図３（ｂ）に示すように、前記掃除機本体２に前記ダストケース３を被せ、軸線Ｘを中心に図３（ａ）の状態まで右回りに回転させることで、前記ダストケース３は前記掃除機本体２にバヨネット式に固定される。なお、前記ダストケース３自体の断面形状が非円形となっていることで、このダストケース３の表面に滑り止めのための付加的な凹凸を設ける必要がない。従って、前記ダストケース３を掃除機本体２に対してバヨネット式に固定する場合でも、前記ダストケース３を掃除機本体２に対して容易に固定することができる。また、前記ダストケース３の外面に、円周部２４と、この円周部２４に連続して形成される突部２５とを設け、この突部２５に、不連続な稜線２６を形成したことにより、前記ダストケース３の断面を円形に近い形状にしつつ、前記突部２５に指を掛けることができるので、前記ダストケース３，ひいては前記電気掃除機１の外観をすっきりさせることができる。更に、前記ダストケース３が前記掃除機本体２に取り付けられると、前記ダストケース３の複数の円周部２４と突部２５と稜線２６に対応して、前記筐体４の複数の円周部１７と突部１９と稜線２１が形成されていると共に、前記ダストケース３の下端３Ｂの形状が前記筐体４の上端の形状とほぼ一致するので、前記掃除機本体２とダストケース３の外観形状が連続性を持ち、電気掃除機１の外観を良好にすることができる。
【００１６】
この状態で、前記掃除機本体２に設けられた図示しない受電端子に図示しない給電手段を接続することで、前記掃除機本体２内に収納された図示しない二次電池が充電される。そして、このように前記二次電池を充電させるために前記掃除機本体２に通電すると、前記発光ダイオード１０が発光する。更に、この発光ダイオード１０の発した光は、透明な合成樹脂によって構成された前記スイッチ操作手段７の操作部１１を透過する。このように、前記発光ダイオード１０が前記スイッチ操作手段７の内側に位置することで、前記掃除機本体２の筐体４の表面には、前記発光ダイオード１０が露出せず、前記スイッチ操作手段７のみが露出する。これによって、前記掃除機本体２，ひいては前記電気掃除機１の外観をすっきりさせて、美観を向上させることができる。
【００１７】
なお、前述したように、前記発光ダイオード１０が前記スイッチ９と共通の回路基板８に実装されているので、前記発光ダイオード１０の取り付けを容易に行うことができる。また、前記発光ダイオード１０が前記スイッチ操作手段７に取り付けられていないことで、前記スイッチ操作手段７が動いたとしても前記発光ダイオード１０が動かないので、この発光ダイオード１０の配線の撓みが繰り返されることによる配線の破損が生じないようにすることもできる。
【００１８】
前記二次電池が充電されると、前記電気掃除機１が使用可能な状態となる。この電気掃除機１を用いて掃除をする場合、使用者は、前記把持部６を把持し、前記操作部１１に指を当てて前記スイッチ操作手段７を図４，図５における上方に摺動させる。この際、前記アーム部１２によって前記スイッチ９の可動部１６が上方に移動させられる。このように、前記スイッチ９の可動部１６が移動すると、前記二次電池から電動送風機に電力が供給され、吸引気流が形成される。なお、前記二次電池から電動送風機に電力が供給される場合、前記発光ダイオード１０は発光しない。そして、吸引気流が形成されると、前記ダストケース３の吸込口２３から塵埃を含んだ気流が吸い込まれる。更に、この気流に含まれる塵埃は、前記ダストケース３内のフィルタによってろ過され、前記ダストケース内に溜められる。なお、前記電動送風機を停止させる場合、前記操作部１１に指を当てて前記スイッチ操作手段７を図４，図５における下方に摺動させる。この際、前記アーム部１２によって前記スイッチ９の可動部１６が下方に移動させられる。このように、前記スイッチ９の可動部１６が移動すると、前記二次電池から電動送風機に供給される電力が遮断される。
【００１９】
前記ダストケース３内に溜まった塵埃を廃棄する場合、軸線Ｘを中心に、図３（ａ）の状態から図３（ｂ）の状態まで左回りに回転させた後、前記ダストケース３を前記掃除機本体２から軸線Ｘ方向に引き離すことで、前記ダストケース３は前記掃除機本体２から取り外される。なお、前述したように、前記ダストケース３自体の断面形状が非円形となっていることで、このダストケース３の表面に滑り止めのための付加的な凹凸を設ける必要がない。従って、前記ダストケース３を掃除機本体２から容易に取り外すことができる。
【００２０】
なお、本考案は以上の実施形態に限定されるものではなく、考案の要旨の範囲内で種々の変形実施が可能である。例えば、上記実施形態では、スイッチ操作手段を透明な合成樹脂によって構成したが、前記スイッチ操作手段を半透明の合成樹脂によって構成しても良い。また、上記実施形態では、電気掃除機は手持ち型であるが、スティック型の電気掃除機に適用しても良い。更に、上記実施形態では、発光手段を充電時のみ発光させるようにしたが、発光手段を複数設け、充電時と使用時にそれぞれ点灯させるようにしても良い。
【図面の簡単な説明】
【００２１】
【図１】本考案の一実施形態を示す電気掃除機の正面図である。
【図２】同、側面図である。
【図３】同、平面図であり、（ａ）はダストケースが本体に取り付けられた状態を、（ｂ）はダストケースの着脱のためにダストケースが捻られた状態を示すものである。
【図４】同、スイッチをオフにした状態における要部の概略断面図である。
【図５】同、スイッチをオンにした状態における要部の概略断面図である。
【符号の説明】
【００２２】
１  電気掃除機
４  筐体
７  スイッチ操作手段
８  回路基板
９  スイッチ
１０  発光ダイオード（発光手段）
【図１】
0003147038.tif 000003
【図２】
0003147038.tif 000004
【図３】
0003147038.tif 000005
【図４】
0003147038.tif 000006
【図５】
0003147038.tif 000007